(57)【要約】【課題】記録媒体詰まりが発生した場合に、電力の供給を遮断することができる画像形成装置およびプログラムを提供することを目的とする。【解決手段】記録媒体を搬送する搬送手段と、前記搬送手段を駆動する駆動手段と、前記駆動手段に電力を供給する電力供給手段と、所定の場合以外で発生した記録媒体詰まりの発生回数を計数する計数手段と、前記計数手段により計数された前記記録媒体詰まりの発生回数が、予め決められた数に達した場合に、前記電力供給手段からの電力の供給を遮断する電力供給制御手段とを有する。【選択図】図１
2011046012.tif 000002
【特許請求の範囲】
【請求項１】
記録媒体を搬送する搬送手段と、
前記搬送手段を駆動する駆動手段と、
前記駆動手段に電力を供給する電力供給手段と、
所定の場合以外で発生した記録媒体詰まりの発生回数を計数する計数手段と、
前記計数手段により計数された前記記録媒体詰まりの発生回数が、予め決められた数に達した場合に、前記電力供給手段からの電力の供給を遮断する電力供給制御手段と
を有する
画像形成装置。
【請求項２】
前記搬送手段は複数有し、
前記駆動手段は複数有し、該複数の駆動手段が前記搬送手段のそれぞれを駆動し、
前記計数手段は、記録媒体詰まりを発生させた前記搬送手段を駆動する駆動手段毎に、記録媒体詰まりの発生回数を計数し、
前記電力供給制御手段は、前記計数手段により駆動手段毎に計数された前記記録媒体詰まりの発生回数が、予め決められた数に達した場合に、この駆動部に対して前記電力供給手段からの電力の供給を遮断する
請求項１に記載の画像形成装置。
【請求項３】
前記電力供給手段は、
前記駆動手段に電力を供給する駆動系電源と、
前記駆動系電源に電力を供給する主電源と
を有し、
前記計数手段は、前記主電源からの電力供給が再開された後、前記搬送手段へ初めて記録媒体が供給された場合以外で発生した記録媒体詰まりの発生回数を計数する
請求項１または２に記載の画像形成装置。
【請求項４】
通常状態と、この通常状態と比べて消費電力を少なくする省電力状態とに切り替える状態制御手段
をさらに有し、
前記計数手段は、前記状態制御手段により省電力状態から通常状態に復帰した後、前記搬送手段へ初めて記録媒体が供給された場合以外で発生した記録媒体詰まりの発生回数を計数する
請求項１または２に記載の画像形成装置。
【請求項５】
前記搬送手段へ記録媒体を供給する記録媒体供給手段
をさらに有し、
前記計数手段は、前記記録媒体供給手段が抜き挿しされた後、この記録媒体供給装置から初めて記録媒体が搬送された場合以外で発生した記録媒体詰まりの発生回数を計数する
請求項１または２に記載の画像形成装置。
【請求項６】
前記計数手段は、記録媒体のサイズおよび種類が変更された後、前記搬送手段へ初めて記録媒体が供給された場合以外で発生した記録媒体詰まりの発生回数を計数する
請求項１または２に記載の画像形成装置。
【請求項７】
記録媒体を搬送する搬送ステップと、
前記搬送手段を駆動する駆動ステップと、
前記駆動手段に電力を供給する電力供給ステップと、
所定の場合以外で発生した記録媒体詰まりの発生回数を計数する計数ステップと、
前記計数手段により計数された前記記録媒体詰まりの発生回数が、予め決められた数に達した場合に、前記電力供給手段からの電力の供給を遮断する電力供給制御ステップと
をコンピュータに実行させる
プログラム。
【発明の詳細な説明】
【技術分野】
【０００１】
本発明は、画像形成装置およびプログラムに関する。
【背景技術】
【０００２】
特許文献１は、各種センサを通じて装置内の異常を監視し、異常が発生するとその内容に応じたアドレス情報が不揮発性メモリに供給され、その内部の異常内容判別テーブルの検索が行われる画像形成装置を開示する。
このテーブルには、操作者が復旧できるものとサービスマンが復旧できるものに異常内容を分けており、サービスマンを必要とする異常内容に対しては操作パネルにその旨の表示が行われ、他の回路部分の電源が遮断される。
これにより、異常時の節電が実行される。
【先行技術文献】
【特許文献】
【０００３】
【特許文献１】特開平７−５２５０３
【発明の概要】
【発明が解決しようとする課題】
【０００４】
本発明は、記録媒体詰まりが発生した場合に、電力の供給を遮断することができる画像形成装置およびプログラムを提供することを目的とする。
【課題を解決するための手段】
【０００５】
請求項１に係る発明は、記録媒体を搬送する搬送手段と、前記搬送手段を駆動する駆動手段と、前記駆動手段に電力を供給する電力供給手段と、所定の場合以外で発生した記録媒体詰まりの発生回数を計数する計数手段と、前記計数手段により計数された前記記録媒体詰まりの発生回数が、予め決められた数に達した場合に、前記電力供給手段からの電力の供給を遮断する電力供給制御手段とを有する画像形成装置である。
【０００６】
請求項２に係る発明は、前記搬送手段は複数有し、前記駆動手段は複数有し、該複数の駆動手段が前記搬送手段のそれぞれを駆動し、前記計数手段は、記録媒体詰まりを発生させた前記搬送手段を駆動する駆動手段毎に、記録媒体詰まりの発生回数を計数し、前記電力供給制御手段は、前記計数手段により駆動手段毎に計数された前記記録媒体詰まりの発生回数が、予め決められた数に達した場合に、この駆動部に対して前記電力供給手段からの電力の供給を遮断する画像形成装置である。
【０００７】
請求項３に係る発明は、前記電力供給手段は、前記駆動手段に電力を供給する駆動系電源と、前記駆動系電源に電力を供給する主電源とを有し、前記計数手段は、前記主電源からの電力供給が再開された後、前記搬送手段へ初めて記録媒体が供給された場合以外で発生した記録媒体詰まりの発生回数を計数する画像形成装置である。
【０００８】
請求項４に係る発明は、通常状態と、この通常状態と比べて消費電力を少なくする省電力状態とに切り替える状態制御手段をさらに有し、前記計数手段は、前記状態制御手段により省電力状態から通常状態に復帰した後、前記搬送手段へ初めて記録媒体が供給された場合以外で発生した記録媒体詰まりの発生回数を計数する画像形成装置である。
【０００９】
請求項５に係る発明は、前記搬送手段へ記録媒体を供給する記録媒体供給手段をさらに有し、前記計数手段は、前記記録媒体供給手段が抜き挿しされた後、この記録媒体供給装置から初めて記録媒体が搬送された場合以外で発生した記録媒体詰まりの発生回数を計数する画像形成装置である。
【００１０】
請求項６に係る発明は、前記計数手段は、記録媒体のサイズおよび種類が変更された後、前記搬送手段へ初めて記録媒体が供給された場合以外で発生した記録媒体詰まりの発生回数を計数する画像形成装置である。
【００１１】
請求項７に係る発明は、記録媒体を搬送する搬送ステップと、前記搬送手段を駆動する駆動ステップと、前記駆動手段に電力を供給する電力供給ステップと、所定の場合以外で発生した記録媒体詰まりの発生回数を計数する計数ステップと、前記計数手段により計数された前記記録媒体詰まりの発生回数が、予め決められた数に達した場合に、前記電力供給手段からの電力の供給を遮断する電力供給制御ステップとをコンピュータに実行させるプログラムである。
【発明の効果】
【００１２】
請求項１に係る本発明によれば、記録媒体詰まりが発生した場合に、駆動手段に供給する電力の消費を抑えることができる。
【００１３】
請求項２に係る本発明によれば、請求項１に係る発明により得られる効果に加えて、記録媒体詰まりを起こした搬送手段を駆動する駆動手段に供給する電力の消費を抑えることができる。
【００１４】
請求項３に係る本発明によれば、請求項１または２に係る発明により得られる効果に加えて、主電源からの電力供給が再開された後、記録媒体供給装置から初めて記録媒体が搬送された場合には、電力の供給を遮断しないように制御することができる。
【００１５】
請求項４に係る本発明によれば、請求項１または２に係る発明により得られる効果に加えて、前記画像形成装置が省電力モードから通常の電力モードに復帰した後、記録媒体供給装置から初めて記録媒体が搬送された場合には、電力の供給を遮断しないように制御することができる。
【００１６】
請求項５に係る本発明によれば、請求項１または２に係る発明により得られる効果に加えて、記録媒体供給装置が抜き挿しされた後、この記録媒体供給装置から初めて記録媒体が搬送された場合には、電力の供給を遮断しないように制御することができる。
【００１７】
請求項６に係る本発明によれば、請求項１または２に係る発明により得られる効果に加えて、記録媒体供給装置に格納される記録媒体のサイズおよび種類が変更された後、この記録媒体供給装置から初めて記録媒体が搬送された場合には、電力の供給を遮断しないように制御することができる。
【００１８】
請求項７に係る本発明によれば、記録媒体詰まりが発生した場合に、駆動手段に供給する電力の消費を抑えることができる。
【図面の簡単な説明】
【００１９】
【図１】本発明にかかる画像形成装置の構成を例示する図である。
【図２】図１に示した画像形成装置の駆動部の構成を示す図である。
【図３】図１に示した画像形成装置の駆動系電源の構成を示す図である。
【図４】図１に示した制御部のハードウェア構成を示す図である。
【図５】図１に示した画像形成装置の制御部で実行される制御プログラムの構成を示す図である。
【図６】図５に示したテーブル記憶部が記憶する駆動部対応テーブルである。
【図７】図５に示した省電力モード制御部の制御処理（Ｓ１０）を示す図である。
【図８】図５に示した判定部が、指定状況であるか否かを判断する処理（Ｓ２０）を示すフローチャートである。
【図９】図１に示した画像形成装置１の全体動作（Ｓ３０）を示すフローチャートである。
【発明を実施するための最良の形態】
【００２０】
［第１の実施形態］
以下、本発明に係る画像形成装置１を説明する。
図１は、本発明にかかる画像形成装置１の構成を例示する図である。
図１に示すように、画像形成装置１は、制御部４、画像形成ユニット１０、一次転写装置１２、第１の給紙装置１４、二次転写装置２０、定着装置２２および第２の給紙装置２８などを有する。
【００２１】
画像形成ユニット１０は、制御部４から供給される画像データに応じてレーザ光を走査するレーザ光走査装置１００と、レーザ光走査装置１００の上方に配置され、レーザ光走査装置１００が走査したレーザ光により静電潜像が形成される感光体ドラム１０２とを有する。
レーザ光走査装置１００は、各色の画像データに応じて変調したレーザ光を偏向走査して、感光体ドラム１０２に照射する。
感光体ドラム１０２は、矢印ａの方向に回転する。
また、感光体ドラム１０２の周囲には、感光体ドラム１０２の表面を掃除するクリーニング装置１０４と、感光体ドラム１０２の表面を帯電する帯電器１０６と、感光体ドラム１０２の表面に形成された静電潜像を現像する現像器１０８とが、この順で、矢印ａの方向に沿って設けられている。
【００２２】
つまり、感光体ドラム１０２が、帯電器１０６により帯電され、レーザ光走査装置１００からレーザ光が照射されることにより、各色の画像データに応じた静電潜像が形成される。
さらに、静電潜像が現像器１０８を通過すると、現像器１０８から感光体ドラム１０２の表面にトナーが供給され、感光体ドラム１０２の表面の静電潜像のみにトナーが残り、トナー画像が現像される。
【００２３】
一次転写装置１２は、感光体ドラム１０２から転写ベルト１２０にトナー像を受けて、一次転写を行う。
つまり、転写ベルト１２０上に各色のトナー画像が、多重転写される。
より具体的には、一次転写装置１２は、駆動ロール１２２およびバックアップロール１２４に、テンションがかかった状態で巻き回された転写ベルト１２０を有する。
転写ベルト１２０は、駆動ロール１２２により、矢印ｂの方向に循環回転される。
また、転写ベルト１２０の内周側には、感光体ドラム１０２と連れ周りする一次転写ロール１２６が、回転自在に設けられている。
駆動ロール１２２と、転写ベルト１２０を挟んで対向する位置には、転写ベルト１２０の表面を掃除するベルトクリーナ１２８が設けられている。
ベルトクリーナ１２８は、転写ベルト１２０の表面に残存したトナーを掻き落とす。
【００２４】
したがって、一次転写装置１２では、感光体ドラム１０２上のトナー画像が、矢印ｂの方向に循環回転している転写ベルト１２０上に、一次転写される。
また、一次転写後に、感光体ドラム１０２の表面にトナー画像が残存するが、残像したトナー画像は、クリーニング装置１０４により感光体ドラム１０２の表面から掻き落とされる。
【００２５】
第１の給紙装置１４は、画像形成装置１の底部に設けられている。
第１の給紙装置１４は、用紙が蓄積される第１の給紙部１４０、第２の給紙部１４１および第３の給紙部１４２と、第１の給紙部１４０、第２の給紙部１４１および第３の給紙部１４２それぞれから１枚の用紙を引き出す第１の抽出ロール１４３、第２の抽出ロール１４４および第３の抽出ロール１４５と、用紙を第１の給紙部１４０、第２の給紙部１４１および第３の給紙部１４２それぞれから用紙搬送路１６に送り込む第１の搬送ロール対１４６、第２の搬送ロール対１４７および第３の搬送ロール対１４８とを有する。
つまり、第１の給紙装置１４は、用紙を画像形成装置１に供給する。
【００２６】
用紙搬送路１６には、用紙を搬送する第１の搬送ロール１６０、第２の搬送ロール１６２および第３の搬送ロール１６４が設けられている。
また、画像形成装置１には、予め決められたタイミングで二次転写装置２０に用紙を送り込むレジストロール対１６６と、用紙を第１の排出部１８０に排出する第１の排出ロール１６８と、用紙を第２の排出部１８２に排出する第２の排出ロール１７０と、用紙を第３の排出部１８４に排出するフェイスアップロール１７２とが設けられている。
つまり、第１の給紙保管部１４０、第２の給紙保管部１４１および第３の給紙保管部１４２それぞれから引き出されて、用紙搬送路１６に送り込まれた用紙は、用紙搬送路１６に沿って、用紙の搬送方向（矢印ｃの方向）に搬送され、第１の排出部１８０、第２の排出部１８２および第３の排出部１８４のいずれかに排出される。
【００２７】
二次転写装置２０は、バックアップロール１２４との間に転写圧を発生させながら回転する二次転写ロール２００を有する。
二次転写装置２０においては、用紙の表面にトナー像が二次転写される。
より具体的には、第１の給紙装置１４から搬送された用紙が、転写ベルト１２０のトナー像とタイミングを合わせて二次転写ロール２００と、転写ベルト１２０との間に挿入され、用紙の表面にトナー像が二次転写される。
二次転写された用紙は、定着装置２２に送られる。
【００２８】
用紙の搬送方向において、二次転写装置２０の下流側には、定着装置２２が設けられている。
定着装置２２は、加熱ロール２２０および加圧ロール２２２を有する。
定着装置２２は、加熱ロール２２０と加圧ロール２２２との間に用紙を加熱しながら挟んで搬送することにより、用紙の表面に二次転写像を定着させる。
【００２９】
用紙の搬送方向において、定着装置２２の下流側には、反転ロール２４が設けられている。
反転ロール２４は、用紙を反転用搬送路２６に送り込む。
反転用搬送路２６は、３個の搬送ロール対２６０を有する。
搬送ロール対２６０は、用紙を挟んで、搬送する。
つまり、反転用搬送路２６は、用紙の裏表を反転させて用紙搬送路１６に再度送り込む。
【００３０】
第２の給紙装置２８は、画像形成装置１の側面に設けられている。
第２の給紙装置２８は、用紙が積載される第４の給紙部２８０と、第４の給紙部２８０から１枚の用紙を引き出す第４の抽出ロール２８２と、第２の給紙装置２８から用紙を用紙搬送路１６に送り込む第４の搬送ロール対２８４とを有する。
つまり、第２の給紙装置２８は、用紙を画像形成装置１に供給する。
【００３１】
また、画像形成装置１には、用紙を検知するための複数の用紙センサが設けられている。
例えば、用紙の搬送方向において、第１の搬送ロール対１４６および第２の搬送ロール１６２の下流側であって、第３の搬送ロール１６４の上流側には、用紙センサ３００が設けられている。
また、用紙の搬送方向において、二次転写ロール２００の下流側であって、加熱ロール２２０の上流側には、用紙センサ３０２が設けられている。
用紙センサ３００および用紙センサ３０２は、搬送されている用紙を検出すると、制御部４に対して信号を送信する。
【００３２】
図２は、図１に示した画像形成装置１の駆動部３２の構成を示す図である。
図２に示すように、画像形成装置１の駆動部３２は、例えば、定着駆動部３２０、主駆動部３２２、第１の給紙駆動部３２４、第２の給紙駆動部３２６、第３の給紙駆動部３２８、用紙供給用駆動部３３０、反転用駆動部３３２および排出駆動部３３４を有する。
【００３３】
定着駆動部３２０は、搬送ロールである加熱ロール２２０および第１の排出ロール１６８を駆動する。
主駆動部３２２は、搬送ロールである二次転写ロール２００、第３の搬送ロール１６４、レジストロール対１６６、第４の抽出ロール２８２および第４の搬送ロール対２８４を駆動する。
第１の給紙駆動部３２４は、搬送ロールである第１の抽出ロール１４３および第１の搬送ロール対１４６を駆動する。
第２の給紙駆動部３２６は、搬送ロールである第２の抽出ロール１４４および第２の搬送ロール対１４７を駆動する。
【００３４】
第３の給紙駆動部３２８は、搬送ロールである第３の抽出ロール１４５および第３の搬送ロール対１４８を駆動する。
用紙供給用駆動部３３０は、搬送ロールである第１の搬送ロール１６０および第２の搬送ロール１６２を駆動する。
反転用駆動部３３２は、搬送ロールである搬送ロール対２６０を駆動する。
排出駆動部３３４は、搬送ロールである反転ロール２４、第２の排出ロール１７０およびフェイスアップロール１７２を駆動する。
【００３５】
図３は、図１に示した画像形成装置１の駆動系電源３４の構成を示す図である。
図３に示すように、駆動系電源３４は、例えば、主電源３５６、定着電源３４０、主駆動部用電源３４２、第１の給紙電源３４４、第２の給紙電源３４６、第３の給紙電源３４８、用紙供給用電源３５０、反転用電源３５２および排出電源３５４から構成される。
【００３６】
主電源３５６は、定着電源３４０、主駆動部用電源３４２、第１の給紙電源３４４、第２の給紙電源３４６、第３の給紙電源３４８、用紙供給用電源３５０、反転用電源３５２および排出電源３５４に対して電力の供給を行う。
定着電源３４０は、定着駆動部３２０に対して電力の供給を行う。
主駆動部用電源３４２は、主駆動部３２２に対して電力の供給を行う。
【００３７】
第１の給紙電源３４４は、第１の給紙駆動部３２４に対して電力の供給を行う。
第２の給紙電源３４６は、第２の給紙駆動部３２６に対して電力の供給を行う。
第３の給紙電源３４８は、第３の給紙駆動部３２８に対して電力の供給を行う。
【００３８】
用紙供給用電源３５０は、用紙供給用駆動部３３０に対して電力の供給を行う。
反転用電源３５２は、反転用駆動部３３２に対して電力の供給を行う。
排出電源３５４は、排出駆動部３３４に対して電力の供給を行う。
【００３９】
図４は、図１に示した制御部４のハードウェア構成を示す図である。
図４に示すように、制御部４は、ＣＰＵ（Central Processing Unit）４００、メモリ４０２、ハードディスクドライブ等の記憶装置４０４、外部のコンピュータなどとデータの送信および受信を行う通信ＩＦ（Interface）４０６および各駆動系電源３４を制御する制御ＩＦ（Interface）４０８を有する。
これらの構成要素は、システムバス４１０を介して互いに接続されている。
制御部４は、これらの構成により、画像形成装置１の駆動系電源３４の制御を行う。
また、制御部４は、画像読取装置（図示せず）または外部のコンピュータなどから、画像データを受け入れ、１０に対して供給する。
また、制御部４は、タッチパネル（図示せず）または外部のコンピュータなどから、印刷指示を受け入れて、印刷処理を実行する。
【００４０】
［制御プログラム４２］
以下、画像形成装置１の制御部４で実行される制御プログラム４２を説明する。
図５は、図１に示した画像形成装置１の制御部４で実行される制御プログラム４２の構成を示す図である。
制御プログラム４２は、紙詰まり検出部４２０、駆動部情報検索部４２２、テーブル記憶部４２４、駆動部情報記憶部４２６、閾値記憶部４２８、駆動部情報監視部４３０、主電源制御部４３２、給紙装置状態監視部４３４、用紙状態監視部４３６、用紙搬送監視部４３８、省電力モード制御部４４０、判定部４６０、遮断部４６２、エラー出力部４６４および駆動部情報消去部４６６から構成される。
制御プログラム４２は、例えば、メモリ４０２に記憶されて  画像形成装置１に供給され、画像形成装置１のＯＳ（図示せず）上で、画像形成装置１のハードウェア資源を具体的に利用して実行される（以下の各プログラムについても同様）。
【００４１】
図６は、図５に示したテーブル記憶部４２４が記憶する駆動部対応テーブルである。
図６に示すように、テーブル記憶部４２４は、紙詰まりのパターンと、駆動部３２と、駆動系電源３４と、搬送ロールとが対応付けられた駆動部対応テーブルを記憶する。
例えば、主駆動部３２２に対応する紙詰まりパターンＢは、図２に示すように、用紙の搬送方向（図２；矢印ｃ）において、用紙センサ３００から用紙センサ３０２までの範囲に関連する紙詰まりに対応している。
つまり、紙詰まりパターンＢは、主駆動部３２２が駆動する搬送ロールに関連する紙詰まりを示す。
【００４２】
紙詰まり検出部４２０は、画像形成装置１の紙詰まりを検出する。
具体的には、紙詰まり検出部４２０は、画像形成装置１に設けられた複数の用紙センサからの信号を受け入れて、紙詰まりを検出する。
また、紙詰まり検出部４２０は、テーブル記憶部４２４に格納されたテーブルを参照し、検出した紙詰まりが、紙詰まりパターンＡ〜Ｈのいずれに該当するかを決定する。
例えば、用紙センサ３０２の下流側であり、用紙センサ３００の上流側での紙詰まりは、二次転写ロール２００、第３の搬送ロール１６４、レジストロール対１６６、第４の抽出ロール２８２および第４の搬送ロール対２８４に関連する紙詰まりであるので、紙詰まりパターンＢに該当すると決定される。
また、紙詰まり検出部４２０は、決定した紙詰まりパターンの情報を、駆動部情報検索部４２２に対して出力する。
また、紙詰まり検出部４２０は、紙詰まりを検出した旨を、エラー出力部４６４に対して出力する。
【００４３】
駆動部情報検索部４２２は、紙詰まり検出部４２０から受け入れた紙詰まりパターンの情報と、テーブル記憶部４２４に記憶された駆動部対応テーブルとを用いて、紙詰まりパターンに対応する駆動部３２を検索する。
ただし、駆動部情報検索部４２２は、判定部４６０から指定状況である旨の通知がなされた場合には、上記検索を行わない。
例えば、駆動部情報検索部４２２は、紙詰まり検出部４２０から、紙詰まりパターンＢを示す情報を受け入れると、テーブル記憶部４２４に記憶された駆動部対応テーブルの紙詰まりパターンＢに対応する主駆動部３２２を検索する。
また、駆動部情報検索部４２２は、検索した駆動部３２の情報を、駆動部情報記憶部４２６、駆動部情報監視部４３０およびエラー出力部４６４に対して出力する。
【００４４】
駆動部情報記憶部４２６は、駆動部情報検索部４２２から入力された駆動部の情報を記憶する。
閾値記憶部４２８は、駆動系電源３４を遮断するための条件を記憶する。
より具体的には、駆動部情報検索部４２２が、同じ駆動部３２を予め決められた回数（連続回数）連続して検索した場合には、その駆動系電源３４からの電力供給は遮断される。
つまり、閾値記憶部４２８は、駆動系電源３４を遮断するための条件となる連続回数を、閾値として記憶する。
例えば、閾値記憶部４２８に、連続回数が「２」であることを示す情報が記憶されていた場合には、駆動部情報検索部４２２が２回連続して同じ駆動部３２を検索することが駆動系電源３４からの電力供給を遮断する条件となる。
なお、この閾値は、画像形成装置１のタッチパネル（図示せず）などから使用者により設定される。
【００４５】
駆動部情報監視部４３０は、駆動部情報検索部４２２から駆動部３２の情報を受け入れると、駆動部情報記憶部４２６および閾値記憶部４２８を参照し、駆動部情報検索部４２２が同じ駆動部３２を、閾値の回数だけ連続して検索したか否かを監視する。
駆動部情報監視部４３０は、駆動部情報検索部４２２が同じ駆動部３２を、閾値の回数だけ連続して検索したことを検出した場合には、テーブル記憶部４２４を参照し、その駆動部３２を駆動する駆動系電源３４の情報を、遮断部４６２およびエラー出力部４６４に対して出力する。
例えば、閾値記憶部４２８に連続回数が「２」であることを示す情報が記憶されていた場合には、駆動部情報監視部４３０は、駆動部情報記憶部４２６に駆動部情報検索部４２２が主駆動部３２２を２回連続して検索したことを示す情報が記憶されていたときには、主駆動部３２２を駆動する主駆動部用電源３４２の情報を、遮断部４６２およびエラー出力部４６４に対して出力する。
【００４６】
主電源制御部４３２は、主電源３５６から各電源への電力の供給を制御する。
具体的には、使用者により操作されるスイッチ（図示せず）からの制御信号に従って、主電源３５６から各電源への電力の供給を制御する。
また、主電源制御部４３２は、主電源３５６からの電力の供給状態を、判定部４６０に対して出力する。
【００４７】
省電力モード制御部４４０は、画像形成装置１に設けられたタッチパネル（図示せず）が一定時間操作されなかった場合などに、駆動系電源３４からの電力の供給を遮断することにより、省電力モード（状態）に移行する。
例えば、省電力モード制御部４４０は、定着電源３４０からの電力の供給を遮断し、タッチパネルのバックライトの消灯を行うことにより、省電力モードに移行する。
また、省電力モード制御部４４０は、電力モード（通常モード，省電力モード）を、判定部４６０に対して出力する。
以下、省電力モード制御部４４０の制御処理の具体例を、図７を参照して説明する。
【００４８】
図７は、図５に示した省電力モード制御部４４０の制御処理（Ｓ１０）を示す図である。
図７に示すように、ステップ１００（Ｓ１００）において、省電力モード制御部４４０は、画像形成装置１に設けられたタッチパネルが一定時間操作されなかったか否かを判断する。
画像形成装置１に設けられたタッチパネルが一定時間操作されなかった場合には、省電力モード制御部４４０は、Ｓ１０２の処理に進み、これ以外のときには、Ｓ１００の処理に戻る。
ステップ１０２（Ｓ１０２）において、省電力モード制御部４４０は、駆動系電源３４の各電源からの電力の供給を遮断し、タッチパネルのバックライトの消灯を行うことなどにより、省電力モードに移行する。
ステップ１０４（Ｓ１０４）において、省電力モード制御部４４０は、画像形成装置１に設けられたタッチパネルが操作されたか否かを判断する。
タッチパネルなどが操作された場合には、Ｓ１０６の処理に進み、これ以外のときには、Ｓ１０２の処理に戻る。
ステップ１０６（Ｓ１０６）において、省電力モード制御部４４０は、駆動系電源３４の各電源からの電力の供給を再開し、タッチパネルのバックライトの点灯を行うことなどにより、通常モードに復帰する。
【００４９】
給紙装置状態監視部４３４は、第１の給紙装置１４および第２の給紙装置２８の状態を監視し、給紙装置の状態を判定部４６０に対して出力する。
例えば、給紙装置状態監視部４３４は、第１の給紙装置１４および第２の給紙装置２８に設けられた用紙センサから信号を受け入れて、第１の給紙部１４０、第２の給紙部１４１、第３の給紙部１４２および第４の給紙部２８０が抜き差しされたか否かなどを監視する。
【００５０】
用紙状態監視部４３６は、第１の給紙装置１４および第２の給紙装置２８に格納されている用紙のサイズおよび紙の種類（紙種）を監視し、用紙のサイズおよび紙種を示す情報を判定部４６０に対して出力する。
例えば、用紙状態監視部４３６は、第１の給紙部１４０、第２の給紙部１４１、第３の給紙部１４２および第４の給紙部２８０に設けられた用紙センサから信号を受け入れて、搬送される用紙のサイズおよび紙種などの用紙の種類を監視する。
【００５１】
用紙搬送監視部４３８は、第１の給紙装置１４および第２の給紙装置２８から用紙が搬送されたことを監視し、用紙が搬送された旨を示す情報を、判定部４６０に対して出力する。
例えば、用紙搬送監視部４３８は、第１の抽出ロール１４３、第２の抽出ロール１４４、第３の抽出ロール１４５および第４の抽出ロール２８２に設けられた用紙センサから信号を受け入れて、用紙が搬送されたことを監視する。
【００５２】
判定部４６０は、主電源制御部４３２から入力された主電源３５６の状態と、省電力モード制御部４４０から入力された電力モードと、給紙装置状態監視部４３４から入力された給紙装置の状態と、用紙状態監視部４３６から入力された用紙のサイズおよび紙種を示す情報と、用紙搬送監視部４３８から受け入れた用紙が搬送された旨を示す情報とに基づいて、紙詰まりの発生を計数しない状況（指定状況）であるか否かを判断する。
また、判定部４６０は、指定状況であると判断した場合には、その旨を駆動部情報検索部４２２に対して出力する。
【００５３】
図８は、図５に示した判定部４６０が、指定状況であるか否かを判断する処理（Ｓ２０）を示すフローチャートである。
図８に示すように、ステップ２００（Ｓ２００）において、判定部４６０は、主電源３５６が電力供給を開始した後、その給紙部からの初めての用紙搬送であるか否かを判断する。
主電源３５６が電力供給を開始した後、その給紙部からの初めての用紙搬送である場合には、Ｓ２０８の処理に進み、これ以外の場合には、Ｓ２０２の処理に進む。
【００５４】
ステップ２０２（Ｓ２０２）において、判定部４６０は、省電力モードから通常モードに復帰後、その給紙部からの初めての用紙搬送であるか否かを判断する。
省電力モードから通常モードに復帰後、その給紙部からの初めて用紙搬送である場合には、Ｓ２０８の処理に進み、これ以外の場合には、Ｓ２０４の処理に進む。
【００５５】
ステップ２０４（Ｓ２０４）において、判定部４６０は、給紙部が抜き挿しされた後、この抜き挿しされた給紙部からの初めての用紙搬送であるか否かを判断する。
給紙部が抜き挿しされた後、この抜き挿しされた給紙部からの初めての用紙搬送である場合には、Ｓ２０８の処理に進み、これ以外の場合には、Ｓ２０６の処理に進む。
【００５６】
ステップ２０６（Ｓ２０６）において、判定部４６０は、給紙部に格納される用紙のサイズおよび紙種が変更された後、この給紙部からの初めての用紙搬送であるか否かを判断する。
給紙部に格納される用紙のサイズおよび紙種が変更された後、この給紙部からの初めての用紙搬送である場合には、Ｓ２０８の処理に進み、これ以外の場合には、処理を終了する。
ステップ２０８（Ｓ２０８）において、判定部４６０は、指定状況であると判断し、その旨を駆動部情報検索部４２２に対して出力する。
【００５７】
つまり、主電源３５６が電力供給を開始した後、その給紙部から初めて用紙が搬送されて紙詰まりが起きた場合には、使用者が誤った方法で給紙部に用紙を格納したと考えられるので、電力の供給を遮断しない。
また、省電力モードから通常モードに復帰後、その給紙部から初めて用紙が搬送されて紙詰まりが起きた場合には、使用者が、誤った方法で給紙部に用紙を格納したと考えられるので、電力の供給を遮断しない。
また、給紙部が抜き差しされた後、この給紙部から初めて、用紙が搬送された場合には、使用者が給紙部に格納されていた用紙に触れて用紙をずらしてしまったことなどが考えられるので、電力の供給を遮断しない。
また、給紙部に格納される用紙のサイズおよび紙種類など用紙状態が変更された後、この給紙部から初めて用紙が搬送されて紙詰まりが起きた場合には、使用者が誤った用紙のサイズおよび紙種などの用紙を給紙部に格納したと考えられるので、電力の供給を遮断しない。
【００５８】
遮断部４６２（図５）は、駆動部情報監視部４３０から駆動系電源３４の情報を受け入れて、その駆動系電源３４からの電力の供給を遮断する。
例えば、遮断部４６２から、主駆動部用電源３４２を示す情報が入力された場合には、主駆動部用電源３４２からの電力の供給を遮断する。
エラー出力部４６４は、紙詰まり検出部４２０からの紙詰まりが発生した旨の通知に基づいて、紙詰まりが発生した旨を、画像形成装置１のタッチパネル（図示せず）などに表示する。
また、エラー出力部４６４は、駆動部情報監視部４３０から駆動系電源３４の情報を受け入れて、電力の供給を遮断した駆動系電源３４の情報などを、画像形成装置１のタッチパネルなどに表示する。
また、エラー出力部４６４は、駆動部情報検索部４２２から駆動部３２の情報を受け入れると、駆動部情報記憶部４２６を参照し、その駆動部３２のエラー回数を算出する。
また、エラー出力部４６４は、算出したエラー回数を、画像形成装置１のタッチパネル（図示せず）などに表示する。
【００５９】
駆動部情報消去部４６６は、駆動部情報記憶部４２６に記憶された駆動部の情報を消去する。
駆動部情報消去部４６６は、用紙が搬送ロールを通過したことを示す信号を、画像形成装置１に設けられた用紙センサから受け入れ、この搬送ロールに関連付けられた駆動部３２を、テーブル記憶部４２４を参照して検索する。
また、駆動部情報消去部４６６は、検索した駆動部３２に対応する情報を、駆動部情報記憶部４２６から消去する。
つまり、検索した駆動部３２において、連続回数がリセットされる。
【００６０】
図９は、図１に示した画像形成装置１の全体動作（Ｓ３０）を示すフローチャートである。
図９に示すように、ステップ３００（Ｓ３００）において、画像形成装置１において実行される制御プログラム４２は、駆動部情報消去部４６６が、用紙が搬送ロールを追加したことを示す信号を画像形成装置１に設けられた用紙センサから受け入れたか否かを判断する。
駆動部情報消去部４６６が、用紙が搬送ロールを追加したことを示す信号を画像形成装置１に設けられた用紙センサから受け入れた場合には、制御プログラム４２は、Ｓ３０２の処理に進み、これ以外の場合には、Ｓ３００の処理に戻る。
【００６１】
ステップ３０２（Ｓ３０２）において、駆動部情報消去部４６６は、用紙が通過した搬送ロールを駆動する駆動部３２の情報を、駆動部情報記憶部４２６から消去する。
ステップ３０４（Ｓ３０４）において、制御プログラム４２は、紙詰まり検出部４２０が、紙詰まりを検出したか否かを判断する。
紙詰まり検出部４２０が、紙詰まりを検出した場合には、制御プログラム４２は、Ｓ３０６の処理に進み、これ以外の場合には、Ｓ３００の処理に戻る。
【００６２】
ステップ３０６（Ｓ３０６）において、判定部４６０は、指定状況であるか否かを判断する。
指定状況である場合には、Ｓ３１６の処理に進み、これ以外の場合には、Ｓ３０８の処理に進む。
【００６３】
ステップ３０８（Ｓ３０８）において、駆動部情報検索部４２２は、紙詰まりパターンに対応する駆動部３２の情報を検索し、駆動部情報記憶部４２６は、その駆動部情報を記憶する。
ステップ３１０（Ｓ３１０）において、駆動部情報監視部４３０は、駆動部情報検索部４２２が同じ駆動部３２を、予め決められた回数だけ連続して検索したか否かを判断する。
駆動部情報検索部４２２が同じ駆動部３２を、予め決められた回数だけ連続して検索した場合には、Ｓ３１２の処理に進み、これ以外の場合には、Ｓ３１４の処理に進む。
【００６４】
ステップ３１２（Ｓ３１２）において、遮断部４６２は、この駆動系電源３４からの電力の供給を遮断する。
ステップ３１４（Ｓ３１４）において、エラー出力部４６４は、駆動部情報記憶部４２６を参照し、この駆動部３２のエラー回数を算出する。
【００６５】
ステップ３１６（Ｓ３１６）において、エラー出力部４６４は、紙詰まりが発生したこと、電力の供給を遮断した駆動系電源３４の情報および駆動部３２のエラー回数などを、画像形成装置１のタッチパネル（図示せず）などに表示する。
【符号の説明】
【００６６】
１・・・画像形成装置
１０・・・画像形成ユニット
１００・・・レーザ光走査装置
１０２・・・感光体ドラム
１０４・・・クリーニング装置
１０６・・・帯電器
１０８・・・現像器
１２・・・一次転写装置
１２０・・・転写ベルト
１２２・・・駆動ロール
１２４・・・バックアップロール
１２６・・・一次転写ロール
１２８・・・ベルトクリーナ
１４・・・第１の給紙装置
１４０・・・第１の給紙保管部
１４１・・・第２の給紙保管部
１４２・・・第３の給紙保管部
１４３・・・第１の抽出ロール
１４４・・・第２の抽出ロール
１４５・・・第３の抽出ロール
１４６・・・第１の搬送ロール対
１４７・・・第２の搬送ロール対
１４８・・・第３の搬送ロール対
１６・・・用紙搬送路
１６０・・・第１の搬送ロール
１６２・・・第２の搬送ロール
１６４・・・第３の搬送ロール
１６８・・・第１の排出ロール
１７０・・・第２の排出ロール
１７２・・・フェイスアップロール
１８０・・・第１の排出部
１８２・・・第２の排出部
１８４・・・第３の排出部
２０・・・二次転写装置
２００・・・二次転写ロール
２２・・・定着装置
２２０・・・加熱ロール
２２２・・・加圧ロール
２４・・・反転ロール
２６・・・反転用搬送路
２６０・・・搬送ロール対
２８・・・第２の給紙装置
２８０・・・給紙部
２８２・・・第４の抽出ロール
２８４・・・第４の搬送ロール対
３００・・・用紙センサ
３０２・・・用紙センサ
３２・・・駆動部
３２０・・・定着駆動部
３２２・・・主駆動部
３２４・・・第１の給紙駆動部
３２６・・・第２の給紙駆動部
３２８・・・第３の給紙駆動部
３３０・・・用紙供給用駆動部
３３２・・・反転用駆動部
３３４・・・排出駆動部
３４・・・駆動系電源
３４０・・・定着電源
３４２・・・主駆動部用電源
３４４・・・第１の給紙電源
３４６・・・第２の給紙電源
３４８・・・第３の給紙電源
３５０・・・用紙供給用電源
３５２・・・反転用電源
３５４・・・排出電源
３５６・・・主電源  
４・・・制御部
４００・・・ＣＰＵ
４０２・・・メモリ
４０４・・・記憶装置
４０６・・・通信ＩＦ
４０８・・・制御ＩＦ
４１０・・・システムバス
４２・・・制御プログラム
４２０・・・紙詰まり検出部
４２２・・・駆動部情報検索部
４２４・・・テーブル記憶部
４２６・・・駆動部情報記憶部
４２８・・・閾値記憶部
４３０・・・駆動部情報監視部
４３２・・・主電源制御部
４３４・・・給紙装置状態監視部
４３６・・・用紙状態監視部
４３８・・・用紙搬送監視部
４４０・・・省電力モード制御部
４６０・・・判定部
４６２・・・遮断部
４６４・・・エラー出力部
【図１】
2011046012.tif 000003
【図２】
2011046012.tif 000004
【図３】
2011046012.tif 000005
【図４】
2011046012.tif 000006
【図５】
2011046012.tif 000007
【図６】
2011046012.tif 000008
【図７】
2011046012.tif 000009
【図８】
2011046012.tif 000010
【図９】
2011046012.tif 000011